(57)【要約】      （修正有）【課題】冷風を移動し、排気ファン方向へ排出することにより比較的安価なコストにより作業施設内の作業環境を改善する作業施設用空調システムを提供する。【解決手段】通路空間を有する作業施設用の空調システムであって、空調システムは、冷風発生機１０と、冷風発生機により発生された冷風を吸引可能に作業施設の通路空間の一端側に配置され、通路空間の一端側より他端側に向かって流れる誘引気流を形成させる通路方向誘引気流発生機１１と、作業施設の天井部に配置される排気装置１２と、通路方向誘引気流発生機より通路空間の他端側でありかつ所定風速の誘引気流が流れる位置に配置され、誘引気流を吸引し、かつ、排気装置方向に向かって流れる排気用誘引気流を形成させる排気装置方向誘引気流発生機１３とを備える。【選択図】図１
0003146582.tif 000002
【実用新案登録請求の範囲】
【請求項１】
空気流が流通可能な実質的に直線状に延びる通路空間を有する作業施設用の空調システムであって、該空調システムは、冷風発生機と、該冷風発生機により発生された冷風を吸引可能に前記作業施設の前記通路空間の一端側に配置され、前記通路空間の一端側より他端側に向かって流れる誘引気流を形成させる通路方向誘引気流発生機と、前記作業施設の天井部に配置される排気装置と、前記通路方向誘引気流発生機より前記通路空間の他端側でありかつ所定風速の誘引気流が流れる位置に配置され、該誘引気流を吸引し、かつ、前記排気装置方向に向かって流れる排気用誘引気流を形成させる排気装置方向誘引気流発生機とを備えることを特徴とする作業施設用空調システム。
【請求項２】
空気流が流通可能な実質的に直線状に延びかつ交差しない第１および第２の通路空間を有する作業施設用の空調システムであって、
該空調システムは、第１の冷風発生機と、該第１の冷風発生機により発生された冷風を吸引可能に前記第１の通路空間の一端側に配置され、前記第１の通路空間の一端側から他端側に向かって流れる誘引気流を形成させる第１通路方向誘引気流発生機と、前記作業施設の天井部に配置される第１の排気装置と、前記第１通路方向誘引気流発生機より所定距離前記第１の通路空間の他端側でありかつ所定風速の誘引気流が流れる位置に配置され、該誘引気流を吸引し、かつ、前記第１の排気装置方向に向かって流れる第１の排気用誘引気流を形成させる第１の排気装置方向誘引気流発生機と、
第２の冷風発生機と、該第２の冷風発生機により発生された冷風を吸引可能に前記第２の通路空間の一端側に配置され、前記第２の通路空間の一端側から他端側に向かって流れる誘引気流を形成させる第２通路方向誘引気流発生機と、前記作業施設の天井部に配置される第２の排気装置と、前記第２通路方向誘引気流発生機より所定距離前記第２の通路空間の他端側でありかつ所定風速の誘引気流が流れる位置に配置され、該誘引気流を吸引し、かつ、前記第２の排気装置方向に向かうとともに、前記第１の排気用誘引気流と交差しない第２の排気用誘引気流を形成させる第２の排気装置方向誘引気流発生機とを備えることを特徴とする作業施設用空調システム。
【請求項３】
空気流が流通可能な実質的に直線状に延びかつ交差しない第１および第２の通路空間と、該第１および第２の通路空間を接続するように延びかつ空気流が流通可能な実質的に直線状に延びる接続通路空間とを有する作業施設用の空調システムであって、
該空調システムは、冷風発生機と、前記作業施設の天井部に配置される第１および第２の排気装置と、前記冷風発生機により発生された冷風を吸引可能に前記第１の通路空間の一端側に配置され、該第１の通路空間の一端側から他端側に向かって流れる誘引気流を形成させる第１通路方向誘引気流発生機と、前記第１通路方向誘引気流発生機より所定距離前記第１の通路空間の他端側でありかつ所定風速の誘引気流が流れる位置に配置され、該誘引気流を吸引し、かつ、前記第１の排気装置方向に向かって流れる第１の排気用誘引気流を形成させる第１の排気装置方向誘引気流発生機と、前記第１通路方向誘引気流発生機と前記第１の排気装置方向誘引気流発生機間に配置され、前記第１通路方向誘引気流発生機からの誘引気流を吸引し、前記接続通路空間を流れる誘引気流を形成させる接続通路方向誘引気流発生機と、該接続通路方向誘引気流発生機の誘引気流を吸引可能に前記第２の通路空間の一端側に配置され、該第２の通路空間の一端側から他端側に向かって流れる誘引気流を形成させる第２通路方向誘引気流発生機と、前記第２通路方向誘引気流発生機より所定距離前記第２の通路空間の他端側でありかつ所定風速の誘引気流が流れる位置に配置され、該誘引気流を吸引し、かつ、前記第２の排気装置方向に向かうとともに、前記第１の排気用誘引気流と交差しない第２の排気用誘引気流を形成させる第２の排気装置方向誘引気流発生機とを備えることを特徴とする作業施設用空調システム。
【請求項４】
前記空調システムは、前記排気装置方向誘引気流発生機の配置領域に到達した誘引気流の全量を前記排気装置方向誘引気流発生機により、前記排気装置に向かう誘引気流に変換するものであり、かつ、前記排気装置は、前記排気装置に向かう誘引気流の全量を排気可能なものであり、前記排気装置方向誘引気流発生機の配置領域に到達した誘引気流の滞留の発生が実質的に生じないものとなっている請求項１ないし３のいずれかに記載の作業施設用空調システム。
【請求項５】
前記作業施設は、空気流が流通可能な実質的に直線状に延びかつ交差しない第３の通路空間と、天井部に配置された第３の排気装置とを有する作業施設用の空調システムであって、
該空調システムは、第３の冷風発生機と、該第３の冷風発生機により発生された冷風を吸引可能に前記第３の通路空間の一端側に配置され、前記第３の通路空間の一端側から他端側に向かって流れる誘引気流を形成させる第３通路方向誘引気流発生機と、前記第３通路方向誘引気流発生機より所定距離前記第３の通路空間の他端側でありかつ所定風速の誘引気流が流れる位置に配置され、該誘引気流を吸引し、かつ、前記第３の排気装置方向に向かうとともに、前記第１の排気用誘引気流および前記第２の排気用誘引気流と交差しない第３の排気用誘引気流を形成させる第３の排気装置方向誘引気流発生機とを備える請求項２に記載の作業施設用空調システム。
【請求項６】
前記空調システムは、前記作業施設の天井部の前記第１の排気装置と前記第２の排気装置間となる領域に配置された第３の排気装置と、前記第１の排気装置方向誘引気流発生機と前記第２の排気装置方向誘引気流発生機間となる領域に配置され、かつ前記第３の排気装置方向に向かう第３の排気装置方向誘引気流発生機とを備えるものである請求項２ないし５のいずれかに記載の作業施設用空調システム。
【請求項７】
前記作業施設用空調システムは、前記通路方向誘引気流発生機と前記排気装置方向誘引気流発生機との間でありかつ前記通路方向誘引気流発生機からの所定風速の誘引気流が流れる位置に配置され、該誘引気流を吸引し、前記排気装置方向に向かう誘引気流を発生させるための中継誘引気流発生機を備えている請求項１ないし６のいずれかに記載の作業施設用空調システム。
【請求項８】
前記作業施設は、１または複数の特定作業領域を備え、前記作業施設用空調システムは、前記特定作業領域付近に設けられた冷却風発生機と、該冷却風発生機からの冷却風を吸引し、前記特定作業領域に向かって流れる冷却風気流を形成させる気流発生機を備えている請求項１ないし７のいずれかに記載の作業施設用空調システム。
【請求項９】
前記冷風発生機は、水を用いた気化放熱式冷風発生機である請求項１ないし８のいずれかに記載の作業施設用空調システム。
【請求項１０】
前記気化放熱式冷風発生機は、送風口を設けた箱型のボディと、前記ボディの吸気口の内側に配設され、散水パイプによって散水された水の膜を形成する冷却エレメントと、該冷却エレメントに配設されるフィルターと、循環使用する水の濾過を行うためのクリーニングポンプと、水を循環させるための循環ポンプと、前記ボディの吸気口の外側に配設される吸気ルーバーパネルと、前記ボディ内の底部における前記冷却エレメントの下部位置に設けた貯水槽と、該貯水槽内の水の溢れ出しを防ぐフロートバルブと、前記冷却エレメントに散水するための散水パイプと、途中部にドレーン用バルブを設けた前記貯水槽内の水を排出するための排水パイプと、前記ボディに設けた水道水の給水口等をもって構成される請求項９に記載の作業施設用空調システム。
【請求項１１】
前記誘引気流発生機は、吹出口風量の数倍以上の周辺空気を誘引することにより誘引気流を形成するものである請求項１ないし１０のいずれかに記載の作業施設用空調システム。
【請求項１２】
空気流が流通可能な実質的に直線状に延びかつ交差しない第１および第２の通路空間を有する作業施設用の空調システムであって、
該空調システムは、第１の冷風発生機と、該第１の冷風発生機により発生された冷風を吸引可能に前記第１の通路空間の一端側に配置され、前記第１の通路空間の一端側から他端側に向かって流れる誘引気流を形成させる第１通路方向誘引気流発生機と、前記作業施設の天井部に配置される第１の排気装置と、前記第１通路方向誘引気流発生機より所定距離前記第１の通路空間の他端側でありかつ所定風速の誘引気流が流れる位置に配置され、該誘引気流を吸引し、かつ、前記第１の排気装置方向に向かって流れる第１の排気用誘引気流を形成させる第１の排気装置方向誘引気流発生機と、
第２の冷風発生機と、該第２の冷風発生機により発生された冷風を吸引可能に前記第２の通路空間の一端側に配置され、前記第２の通路空間の一端側から他端側に向かって流れる誘引気流を形成させる第２通路方向誘引気流発生機と、前記作業施設の天井部に配置される第２の排気装置と、前記第２通路方向誘引気流発生機より所定距離前記第２の通路空間の他端側でありかつ所定風速の誘引気流が流れる位置に配置され、該誘引気流を吸引し、かつ、前記第２の排気装置方向に向かうとともに、前記第１の排気用誘引気流と交差しない第２の排気用誘引気流を形成させる第２の排気装置方向誘引気流発生機と、前記作業施設の天井部の前記第１の排気装置と前記第２の排気装置間となる領域に配置された第３の排気装置と、前記第１の排気装置方向誘引気流発生機と前記第２の排気装置方向誘引気流発生機間となる領域に配置され、かつ前記第３の排気装置方向に向かう第３の排気装置方向誘引気流発生機とを備え、前記排気装置方向誘引気流発生機の配置領域に到達した誘引気流の全量を前記排気装置方向誘引気流発生機により、前記排気装置に向かう誘引気流に変換するものであり、かつ、前記排気装置は、前記排気装置に向かう誘引気流の全量を排気可能なものであり、前記排気装置方向誘引気流発生機の配置領域に到達した誘引気流の滞留の発生が実質的に生じないものとなっていることを特徴とする作業施設用空調システム。
【請求項１３】
空気流が流通可能な実質的に直線状に延びかつ交差しない第１および第２の通路空間と、該第１および第２の通路空間を接続するように延びかつ空気流が流通可能な実質的に直線状に延びる接続通路空間とを有する作業施設用の空調システムであって、
該空調システムは、冷風発生機と、前記作業施設の天井部に配置される第１および第２の排気装置と、前記冷風発生機により発生された冷風を吸引可能に前記第１の通路空間の一端側に配置され、該第１の通路空間の一端側から他端側に向かって流れる誘引気流を形成させる第１通路方向誘引気流発生機と、前記第１通路方向誘引気流発生機より所定距離前記第１の通路空間の他端側でありかつ所定風速の誘引気流が流れる位置に配置され、該誘引気流を吸引し、かつ、前記第１の排気装置方向に向かって流れる第１の排気用誘引気流を形成させる第１の排気装置方向誘引気流発生機と、前記第１通路方向誘引気流発生機と前記第１の排気装置方向誘引気流発生機間に配置され、前記第１通路方向誘引気流発生機からの誘引気流を吸引し、前記接続通路空間を流れる誘引気流を形成させる接続通路方向誘引気流発生機と、該接続通路方向誘引気流発生機の誘引気流を吸引可能に前記第２の通路空間の一端側に配置され、該第２の通路空間の一端側から他端側に向かって流れる誘引気流を形成させる第２通路方向誘引気流発生機と、前記第２通路方向誘引気流発生機より所定距離前記第２の通路空間の他端側でありかつ所定風速の誘引気流が流れる位置に配置され、該誘引気流を吸引し、かつ、前記第２の排気装置方向に向かうとともに、前記第１の排気用誘引気流と交差しない第２の排気用誘引気流を形成させる第２の排気装置方向誘引気流発生機と、前記作業施設の天井部の前記第１の排気装置と前記第２の排気装置間となる領域に配置された第３の排気装置と、前記第１の排気装置方向誘引気流発生機と前記第２の排気装置方向誘引気流発生機間となる領域に配置され、かつ前記第３の排気装置方向に向かう第３の排気装置方向誘引気流発生機とを備え、前記排気装置方向誘引気流発生機の配置領域に到達した誘引気流の全量を前記排気装置方向誘引気流発生機により、前記排気装置に向かう誘引気流に変換するものであり、かつ、前記排気装置は、前記排気装置に向かう誘引気流の全量を排気可能なものであり、前記排気装置方向誘引気流発生機の配置領域に到達した誘引気流の滞留の発生が実質的に生じないものとなっていることを特徴とする作業施設用空調システム。
【請求項１４】
前記作業施設用空調システムは、前記通路方向誘引気流発生機と前記排気装置方向誘引気流発生機との間でありかつ前記通路方向誘引気流発生機からの所定風速の誘引気流が流れる位置に配置され、該誘引気流を吸引し、前記排気装置方向に向かう誘引気流を発生させるための中継誘引気流発生機を備えている請求項１２または１３に記載の作業施設用空調システム。
【考案の詳細な説明】
【技術分野】
【０００１】
本考案は、大空間を有し、室内に溶解炉等を設置した工場施設等に用いられる作業施設用空調システムに係り、詳しくは空気流が流通可能な通路空間に冷風を移動させ、室内の温度の高い空気を室外に排出して作業施設内の作業環境を改善する作業施設用空調システムに関するものである。
【背景技術】
【０００２】
従来、工場等の室を冷却する気化放熱冷風装置として、室の一方の側壁に設けた外気取り入れ口に送風機及び送風機の空気の送り出し側に設けた噴霧放水装置をもって構成し、噴霧状態で放出する水をもって空気を冷却する冷却装置と、室の他方側の屋根または側壁に設けた排気口に配設する、送られた冷風を吸引して室外に排出する換気扇を備えたものが案出されている（特許文献１参照）。
また、工場の内気送風方法と、この方法に使用する攪拌扇の構造として、工場の高温帯域に複数基の攪拌扇を配備し、第１の攪拌扇から第４の攪拌扇に順次送風し、この多数基の攪拌扇で、前記内気を順送するものが案出されている（特許文献２参照）。
さらに、室内換気システムとして、外気を清浄化し且つ気化熱を利用して冷却し、室内に取り込み、室内の空気を室外に排出するようになしたものが案出されている（特許文献３参照）。
【０００３】
【特許文献１】特開平１０−４７８０７号公報
【特許文献２】特開２００８−５１３７７号公報
【特許文献３】特開２００２−３９５８５号公報
【考案の開示】
【考案が解決しようとする課題】
【０００４】
近年気候の温暖化により外気温度が上がり、溶解炉等高温を発生する設備を設置してある作業施設では、施設内の温度が外気温度より高い厳しい環境にあり、この作業環境を改善するために、専用の空調設備を必要とするが、溶解炉等を設置してある大きな作業施設では膨大な費用がかかり多くの空調設備を設けることは現実的でない。
空調設備の代わりに気化放熱冷風装置、換気装置を備えたものとして、特許文献１の気化放熱冷風装置では、室の一方の側壁に送風機を備えただけで広い作業施設の場合に冷風を行き渡らせることができず、かつ屋根または側壁にもうけた換気扇で吸引排出するが、広い室内に滞留する高温の空気を完全に室外に出すことができず、作業環境が悪くなるという問題があり、また、特許文献２の工場の内気送風方法では複数基の攪拌扇で内気を順送することが開示されているだけで導入フアンで導入する外気を攪拌扇で順送するだけであり、外気温が高い夏期に、高温となっている施設内に外気を順送しても室内の温度を下げることができず、さらに特許文献３で外気を清浄化し且つ気化熱を利用して冷却し、室内に取り込み、室内の空気を室外に排出することを開示しているが、これも室内の長い通路を冷風を移動する手段がなく、かつ室内に滞留する温度の高い空気を換気扇で排出が十分行えず、作業施設内の改善ができないなどの問題がある。
本考案は、上記問題点を解決するために、作業施設に冷風発生機と、通路方向誘引気流発生機と、排気装置と、排気装置方向誘引気流発生機とを備え、冷風発生機より吹き出す冷風を通路方向誘引気流発生機により通路空間に広げて遠くまで移動し、通路空間の他端側において排気装置方向誘引気流発生機で排気装置方向へ排出することにより比較的安価なコストにより作業施設内の作業環境を改善することができる作業施設用空調システムを提供することを目的とするものである。
【課題を解決するための手段】
【０００５】
上記目的を達成するものは、以下のものである。
（１）  空気流が流通可能な実質的に直線状に延びる通路空間を有する作業施設用の空調システムであって、該空調システムは、冷風発生機と、該冷風発生機により発生された冷風を吸引可能に前記作業施設の前記通路空間の一端側に配置され、前記通路空間の一端側より他端側に向かって流れる誘引気流を形成させる通路方向誘引気流発生機と、前記作業施設の天井部に配置される排気装置と、前記通路方向誘引気流発生機より前記通路空間の他端側でありかつ所定風速の誘引気流が流れる位置に配置され、該誘引気流を吸引し、かつ、前記排気装置方向に向かって流れる排気用誘引気流を形成させる排気装置方向誘引気流発生機とを備えることを特徴とする作業施設用空調システム。
【０００６】
（２）  空気流が流通可能な実質的に直線状に延びかつ交差しない第１および第２の通路空間を有する作業施設用の空調システムであって、
該空調システムは、第１の冷風発生機と、該第１の冷風発生機により発生された冷風を吸引可能に前記第１の通路空間の一端側に配置され、前記第１の通路空間の一端側から他端側に向かって流れる誘引気流を形成させる第１通路方向誘引気流発生機と、前記作業施設の天井部に配置される第１の排気装置と、前記第１通路方向誘引気流発生機より所定距離前記第１の通路空間の他端側でありかつ所定風速の誘引気流が流れる位置に配置され、該誘引気流を吸引し、かつ、前記第１の排気装置方向に向かって流れる第１の排気用誘引気流を形成させる第１の排気装置方向誘引気流発生機と、
第２の冷風発生機と、該第２の冷風発生機により発生された冷風を吸引可能に前記第２の通路空間の一端側に配置され、前記第２の通路空間の一端側から他端側に向かって流れる誘引気流を形成させる第２通路方向誘引気流発生機と、前記作業施設の天井部に配置される第２の排気装置と、前記第２通路方向誘引気流発生機より所定距離前記第２の通路空間の他端側でありかつ所定風速の誘引気流が流れる位置に配置され、該誘引気流を吸引し、かつ、前記第２の排気装置方向に向かうとともに、前記第１の排気用誘引気流と交差しない第２の排気用誘引気流を形成させる第２の排気装置方向誘引気流発生機とを備えることを特徴とする作業施設用空調システム。
【０００７】
（３）  空気流が流通可能な実質的に直線状に延びかつ交差しない第１および第２の通路空間と、該第１および第２の通路空間を接続するように延びかつ空気流が流通可能な実質的に直線状に延びる接続通路空間とを有する作業施設用の空調システムであって、
該空調システムは、冷風発生機と、前記作業施設の天井部に配置される第１および第２の排気装置と、前記冷風発生機により発生された冷風を吸引可能に前記第１の通路空間の一端側に配置され、該第１の通路空間の一端側から他端側に向かって流れる誘引気流を形成させる第１通路方向誘引気流発生機と、前記第１通路方向誘引気流発生機より所定距離前記第１の通路空間の他端側でありかつ所定風速の誘引気流が流れる位置に配置され、該誘引気流を吸引し、かつ、前記第１の排気装置方向に向かって流れる第１の排気用誘引気流を形成させる第１の排気装置方向誘引気流発生機と、前記第１通路方向誘引気流発生機と前記第１の排気装置方向誘引気流発生機間に配置され、前記第１通路方向誘引気流発生機からの誘引気流を吸引し、前記接続通路空間を流れる誘引気流を形成させる接続通路方向誘引気流発生機と、該接続通路方向誘引気流発生機の誘引気流を吸引可能に前記第２の通路空間の一端側に配置され、該第２の通路空間の一端側から他端側に向かって流れる誘引気流を形成させる第２通路方向誘引気流発生機と、前記第２通路方向誘引気流発生機より所定距離前記第２の通路空間の他端側でありかつ所定風速の誘引気流が流れる位置に配置され、該誘引気流を吸引し、かつ、前記第２の排気装置方向に向かうとともに、前記第１の排気用誘引気流と交差しない第２の排気用誘引気流を形成させる第２の排気装置方向誘引気流発生機とを備えることを特徴とする作業施設用空調システム。
【０００８】
（４）  前記空調システムは、前記排気装置方向誘引気流発生機の配置領域に到達した誘引気流の全量を前記排気装置方向誘引気流発生機により、前記排気装置に向かう誘引気流に変換するものであり、かつ、前記排気装置は、前記排気装置に向かう誘引気流の全量を排気可能なものであり、前記排気装置方向誘引気流発生機の配置領域に到達した誘引気流の滞留の発生が実質的に生じないものとなっている前記（１）ないし前記（３）のいずれかに記載の作業施設用空調システム。
（５）  前記作業施設は、空気流が流通可能な実質的に直線状に延びかつ交差しない第３の通路空間と、天井部に配置された第３の排気装置とを有する作業施設用の空調システムであって、
該空調システムは、第３の冷風発生機と、該第３の冷風発生機により発生された冷風を吸引可能に前記第３の通路空間の一端側に配置され、前記第３の通路空間の一端側から他端側に向かって流れる誘引気流を形成させる第３通路方向誘引気流発生機と、前記第３通路方向誘引気流発生機より所定距離前記第３の通路空間の他端側でありかつ所定風速の誘引気流が流れる位置に配置され、該誘引気流を吸引し、かつ、前記第３の排気装置方向に向かうとともに、前記第１の排気用誘引気流および前記第２の排気用誘引気流と交差しない第３の排気用誘引気流を形成させる第３の排気装置方向誘引気流発生機とを備える前記（２）に記載の作業施設用空調システム。
【０００９】
（６）  前記空調システムは、前記作業施設の天井部の前記第１の排気装置と前記第２の排気装置間となる領域に配置された第３の排気装置と、前記第１の排気装置方向誘引気流発生機と前記第２の排気装置方向誘引気流発生機間となる領域に配置され、かつ前記第３の排気装置方向に向かう第３の排気装置方向誘引気流発生機とを備えるものである前記（２）ないし前記（５）のいずれかに記載の作業施設用空調システム。
（７）  前記作業施設用空調システムは、前記通路方向誘引気流発生機と前記排気装置方向誘引気流発生機との間でありかつ前記通路方向誘引気流発生機からの所定風速の誘引気流が流れる位置に配置され、該誘引気流を吸引し、前記排気装置方向に向かう誘引気流を発生させるための中継誘引気流発生機を備えている前記（１）ないし前記（６）のいずれかに記載の作業施設用空調システム。
（８）  前記作業施設は、１または複数の特定作業領域を備え、前記作業施設用空調システムは、前記特定作業領域付近に設けられた冷却風発生機と、該冷却風発生機からの冷却風を吸引し、前記特定作業領域に向かって流れる冷却風気流を形成させる気流発生機を備えている前記（１）ないし前記（７）のいずれかに記載の作業施設用空調システム。
【００１０】
（９）  前記冷風発生機は、水を用いた気化放熱式冷風発生機である前記（１）ないし前記（８）のいずれかに記載の作業施設用空調システム。
（１０）  前記気化放熱式冷風発生機は、送風口を設けた箱型のボディと、前記ボディの吸気口の内側に配設され、散水パイプによって散水された水の膜を形成する冷却エレメントと、該冷却エレメントに配設されるフィルターと、循環使用する水の濾過を行うためのクリーニングポンプと、水を循環させるための循環ポンプと、前記ボディの吸気口の外側に配設される吸気ルーバーパネルと、前記ボディ内の底部における前記冷却エレメントの下部位置に設けた貯水槽と、該貯水槽内の水の溢れ出しを防ぐフロートバルブと、前記冷却エレメントに散水するための散水パイプと、途中部にドレーン用バルブを設けた前記貯水槽内の水を排出するための排水パイプと、前記ボディに設けた水道水の給水口等をもって構成される前記（９）に記載の作業施設用空調システム。
（１１）  前記誘引気流発生機は、吹出口風量の数倍以上の周辺空気を誘引することにより誘引気流を形成するものである前記（１）ないし前記（１０）のいずれかに記載の作業施設用空調システム。
【００１１】
（１２）  空気流が流通可能な実質的に直線状に延びかつ交差しない第１および第２の通路空間を有する作業施設用の空調システムであって、
該空調システムは、第１の冷風発生機と、該第１の冷風発生機により発生された冷風を吸引可能に前記第１の通路空間の一端側に配置され、前記第１の通路空間の一端側から他端側に向かって流れる誘引気流を形成させる第１通路方向誘引気流発生機と、前記作業施設の天井部に配置される第１の排気装置と、前記第１通路方向誘引気流発生機より所定距離前記第１の通路空間の他端側でありかつ所定風速の誘引気流が流れる位置に配置され、該誘引気流を吸引し、かつ、前記第１の排気装置方向に向かって流れる第１の排気用誘引気流を形成させる第１の排気装置方向誘引気流発生機と、
第２の冷風発生機と、該第２の冷風発生機により発生された冷風を吸引可能に前記第２の通路空間の一端側に配置され、前記第２の通路空間の一端側から他端側に向かって流れる誘引気流を形成させる第２通路方向誘引気流発生機と、前記作業施設の天井部に配置される第２の排気装置と、前記第２通路方向誘引気流発生機より所定距離前記第２の通路空間の他端側でありかつ所定風速の誘引気流が流れる位置に配置され、該誘引気流を吸引し、かつ、前記第２の排気装置方向に向かうとともに、前記第１の排気用誘引気流と交差しない第２の排気用誘引気流を形成させる第２の排気装置方向誘引気流発生機と、前記作業施設の天井部の前記第１の排気装置と前記第２の排気装置間となる領域に配置された第３の排気装置と、前記第１の排気装置方向誘引気流発生機と前記第２の排気装置方向誘引気流発生機間となる領域に配置され、かつ前記第３の排気装置方向に向かう第３の排気装置方向誘引気流発生機とを備え、前記排気装置方向誘引気流発生機の配置領域に到達した誘引気流の全量を前記排気装置方向誘引気流発生機により、前記排気装置に向かう誘引気流に変換するものであり、かつ、前記排気装置は、前記排気装置に向かう誘引気流の全量を排気可能なものであり、前記排気装置方向誘引気流発生機の配置領域に到達した誘引気流の滞留の発生が実質的に生じないものとなっていることを特徴とする作業施設用空調システム。
【００１２】
（１３）  空気流が流通可能な実質的に直線状に延びかつ交差しない第１および第２の通路空間と、該第１および第２の通路空間を接続するように延びかつ空気流が流通可能な実質的に直線状に延びる接続通路空間とを有する作業施設用の空調システムであって、
該空調システムは、冷風発生機と、前記作業施設の天井部に配置される第１および第２の排気装置と、前記冷風発生機により発生された冷風を吸引可能に前記第１の通路空間の一端側に配置され、該第１の通路空間の一端側から他端側に向かって流れる誘引気流を形成させる第１通路方向誘引気流発生機と、前記第１通路方向誘引気流発生機より所定距離前記第１の通路空間の他端側でありかつ所定風速の誘引気流が流れる位置に配置され、該誘引気流を吸引し、かつ、前記第１の排気装置方向に向かって流れる第１の排気用誘引気流を形成させる第１の排気装置方向誘引気流発生機と、前記第１通路方向誘引気流発生機と前記第１の排気装置方向誘引気流発生機間に配置され、前記第１通路方向誘引気流発生機からの誘引気流を吸引し、前記接続通路空間を流れる誘引気流を形成させる接続通路方向誘引気流発生機と、該接続通路方向誘引気流発生機の誘引気流を吸引可能に前記第２の通路空間の一端側に配置され、該第２の通路空間の一端側から他端側に向かって流れる誘引気流を形成させる第２通路方向誘引気流発生機と、前記第２通路方向誘引気流発生機より所定距離前記第２の通路空間の他端側でありかつ所定風速の誘引気流が流れる位置に配置され、該誘引気流を吸引し、かつ、前記第２の排気装置方向に向かうとともに、前記第１の排気用誘引気流と交差しない第２の排気用誘引気流を形成させる第２の排気装置方向誘引気流発生機と、前記作業施設の天井部の前記第１の排気装置と前記第２の排気装置間となる領域に配置された第３の排気装置と、前記第１の排気装置方向誘引気流発生機と前記第２の排気装置方向誘引気流発生機間となる領域に配置され、かつ前記第３の排気装置方向に向かう第３の排気装置方向誘引気流発生機とを備え、前記排気装置方向誘引気流発生機の配置領域に到達した誘引気流の全量を前記排気装置方向誘引気流発生機により、前記排気装置に向かう誘引気流に変換するものであり、かつ、前記排気装置は、前記排気装置に向かう誘引気流の全量を排気可能なものであり、前記排気装置方向誘引気流発生機の配置領域に到達した誘引気流の滞留の発生が実質的に生じないものとなっていることを特徴とする作業施設用空調システム。
【００１３】
（１４）  前記作業施設用空調システムは、前記通路方向誘引気流発生機と前記排気装置方向誘引気流発生機との間でありかつ前記通路方向誘引気流発生機からの所定風速の誘引気流が流れる位置に配置され、該誘引気流を吸引し、前記排気装置方向に向かう誘引気流を発生させるための中継誘引気流発生機を備えている前記（１２）または前記（１３）に記載の作業施設用空調システム。
【考案の効果】
【００１４】
本考案の作業施設用空調システムは、冷風発生機と、通路方向誘引気流発生機と、作業施設の天井部に配置される排気装置と、所定風速の誘引気流が流れる位置に配置され、この誘引気流を吸引し、かつ、排気装置方向に向かって流れる排気用誘引気流を形成させる排気装置方向誘引気流発生機とを備えている。このため、作業施設内に実質的に滞留がない緩やかな冷風気流を形成することができ、作業施設内の体感温度を低下させることができ、作業環境を比較的安価なコストにより改善できる。
【００１５】
また、本考案の作業施設用空調システムが、第１の冷風発生機と、第１通路方向誘引気流発生機と、作業施設の天井部に配置される第１の排気装置と、第１通路方向誘引気流発生機より所定距離第１の通路空間の他端側でありかつ所定風速の誘引気流が流れる位置に配置され、誘引気流を吸引し、かつ、第１の排気装置方向に向かって流れる第１の排気用誘引気流を形成させる第１の排気装置方向誘引気流発生機と、第２の冷風発生機と、第２通路方向誘引気流発生機と、作業施設の天井部に配置される第２の排気装置と、第２通路方向誘引気流発生機より所定距離第２の通路空間の他端側でありかつ所定風速の誘引気流が流れる位置に配置され、誘引気流を吸引し、かつ、第２の排気装置方向に向かうとともに、第１の排気用誘引気流と交差しない第２の排気用誘引気流を形成させる第２の排気装置方向誘引気流発生機を備えることにより、第１と第２の冷風発生機から発生する冷風を第１と第２の通路方向誘引気流発生機で吸引するとともに誘引気流により第１と第２の排気装置方向誘引気流発生機の方向に送り、送られた誘引気流を第１と第２の排気装置方向誘引気流発生機で排気装置の方向へ強制的に送り、第１と第２の排気装置で確実に作業施設外部に排出させるものであれば、作業施設が第１および第２の通路空間を有するものであっても、作業施設内に実質的に滞留がない緩やかな冷風気流を形成することができ、作業施設内の体感温度を低下させることができ、作業環境を比較的安価なコストにより改善できる。
【００１６】
また、本考案の作業施設用空調システムが、冷風発生機と、作業施設の天井部に配置される第１および第２の排気装置と、第１通路方向誘引気流発生機と、第１の排気装置方向誘引気流発生機と、第１通路方向誘引気流発生機と第１の排気装置方向誘引気流発生機間に配置され、第１通路方向誘引気流発生機からの誘引気流を吸引し、接続通路空間を流れる誘引気流を形成させる接続通路方向誘引気流発生機と、接続通路方向誘引気流発生機の誘引気流を吸引可能に第２の通路空間の一端側に配置され、第２の通路空間の一端側から他端側に向かって流れる誘引気流を形成させる第２通路方向誘引気流発生機と、第２通路方向誘引気流発生機より所定距離第２の通路空間の他端側でありかつ所定風速の誘引気流が流れる位置に配置され、誘引気流を吸引し、かつ、第２の排気装置方向に向かうとともに、第１の排気用誘引気流と交差しない第２の排気用誘引気流を形成させる第２の排気装置方向誘引気流発生機を備えるものであれば、作業施設が第１および第２の通路空間および第１および第２の通路空間を接続する接続通路空間を有するものであっても、作業施設内に実質的に滞留がない緩やかな冷風気流を形成することができ、作業施設内の体感温度を低下させることができ、作業環境を比較的安価なコストにより改善できる。
【００１７】
そして、本考案の作業施設用空調システムが、排気装置方向誘引気流発生機の配置領域に到達した誘引気流の全量を排気装置方向誘引気流発生機により、排気装置に向かう誘引気流に変換し、かつ、排気装置は、排気装置に向かう誘引気流の全量を排気できるものであれば、排気装置方向誘引気流発生機の配置領域に到達した誘引気流の滞留の発生および排気装置配置部における気流の滞留の発生が実質的に生じない。したがって、作業施設内に実質的に滞留がない緩やかな冷風気流を確実に形成することができる。
そして、本考案の作業施設用空調システムが、作業施設の天井部の第１の排気装置と第２の排気装置間となる領域に配置された第３の排気装置と、第１の排気装置方向誘引気流発生機と第２の排気装置方向誘引気流発生機間となる領域に配置され、かつ第３の排気装置方向に向かう第３の排気装置方向誘引気流発生機を備えるものであれば、作業施設内における滞留形成を確実に抑制し、緩やかな冷風気流を形成することができる。
【００１８】
そして、本考案の作業施設用空調システムが、第３の冷風発生機と、第３の冷風発生機により発生された冷風を吸引可能に第３の通路空間の一端側に配置され、第３の通路空間の一端側から他端側に向かって流れる誘引気流を形成させる第３通路方向誘引気流発生機と、第３通路方向誘引気流発生機より所定距離第３の通路空間の他端側でありかつ所定風速の誘引気流が流れる位置に配置され、誘引気流を吸引し、かつ、第３の排気装置方向に向かうとともに、第１の排気用誘引気流および第２の排気用誘引気流と交差しない第３の排気用誘引気流を形成させる第３の排気装置方向誘引気流発生機を備えるものであれば、作業施設が第１、第２および第３の通路空間を有するものであっても、作業施設内に実質的に滞留がない緩やかな冷風気流を形成することができ、作業施設内の体感温度を低下させることができ、作業環境を比較的安価なコストにより改善できる。
【００１９】
そして、本考案の作業施設用空調システムが、通路方向誘引気流発生機と排気装置方向誘引気流発生機との間でありかつ通路方向誘引気流発生機からの所定風速の誘引気流が流れる位置に配置され、誘引気流を吸引し、排気装置方向に向かう誘引気流を発生させるための中継誘引気流発生機を備えるものであれば、作業施設内の通路方向誘引気流を中継誘引気流発生機で中継ぎして順に排気装置方向誘引気流発生機の方向に送ることができ、作業施設の通路空間が長いものであっても、作業施設内に実質的に滞留がない緩やかな冷風気流を形成することができる。領域の環境を改善できる。
【００２０】
そして、本考案の作業施設用空調システムが、１または複数の特定作業領域を備え、作業施設用空調システムは、特定作業領域付近に設けられた冷却風発生機と、冷却風発生機からの冷却風を吸引し、特定作業領域に向かって流れる冷却風気流を形成させる気流発生機を備えるものであれば、冷却風発生機から発生する冷風を気流発生機で特定作業領域で作業する作業者にスポット冷却できるので、特定作業領域の温度を下げて作業環境を改善できる。
【考案を実施するための最良の形態】
【００２１】
この考案を実施するための最良の形態を図に示す。図１はこの考案の作業施設用空調システムの一実施形態を示す平面図、図２は、同作業施設用空調システムの側面図、図３は、この考案の作業施設用空調システムの別の実施形態を示す平面図、図４は、冷風発生機の吹き出し気流と、冷風発生機の近接位置に配置した通路方向誘引気流発生機の吹き出し気流とを表した図、図５は、通路方向誘引気流発生機の吹き出し気流と、通路方向誘引気流発生機の誘引気流の位置に配置した通路方向誘引気流発生機の吹き出し気流とを表した図、図６は、通路方向誘引気流発生機の吹き出し気流と、通路方向誘引気流発生機の誘引気流の位置に交叉する方向に配置した通路方向誘引気流発生機の吹き出し気流とを表した図、図７は、冷風発生機の吹き出し気流の分布図、図８は、通路方向誘引気流発生機の吹き出し気流の分布図である。
【００２２】
図１および図２に示す実施形態において、作業施設１は、その内部に空気流が流通可能な実質的に直線状に延びる通路空間２を有する。通路空間２は、作業施設内の片側の一端側から他端側に伸びる場合、作業施設内の中央の一端側から他端側に伸びる場合、作業施設内の両側の一端側から他端側に伸びる場合、などがある。作業施設としては、工場、倉庫などである。本考案の作業施設用空調システムは、発熱源を有する工場に特に有効である。
作業施設１は、空気流が流通可能な実質的に直線状に延びかつ交差しない第１の通路空間２に沿った場所、または第１の通路空間２と第２の通路空間３との間の場所に１または複数の溶解炉等高温となる施設を任意の作業空間をおいて設置し、通路空間、作業空間が作業者の作業領域である。作業施設１には、第１の通路空間２と第２の通路空間３の間の特定作業領域Ｂに例えば、集塵機、溶解炉等高温を発生する設備Ａが備えられている。
作業施設１は、天井部６の適所には、第１の排気装置１２、第２の排気装置１６、第３の排気装置２０が設置されており、排気装置の排気口７より排気が排出される。排気装置１２、１６、２０としては、排気ファンが好適である。排気装置１２、１６、２０の設置場所としては、後述の排気装置方向誘引気流発生機１３により誘引気流を向かわせる天井部で、通路空間の上方付近に設置するのが好ましい。排気装置１２、１６、２０は、天井部等の任意の複数箇所に設置することは自由にできる。排気装置方向誘引気流発生機１３、１７、１９の吹き出し口の向き、角度向きを調整して設置するのが好ましい。
【００２３】
この考案の作業施設用空調システムは、作業施設１に空気流が流通可能な実質的に直線状に延びる通路空間２を有する作業施設用の空調システムであって、空調システムは、冷風発生機１０と、冷風発生機１０により発生された冷風を吸引可能に作業施設の通路空間の一端側に配置され、通路空間の一端側より他端側に向かって流れる誘引気流を形成させる通路方向誘引気流発生機１１と、作業施設の天井部６に配置される排気装置１２と、通路方向誘引気流発生機１１より通路空間２の他端側でありかつ所定風速の誘引気流が流れる位置に配置され、誘引気流を吸引し、かつ、排気装置方向に向かって流れる排気用誘引気流を形成させる排気装置方向誘引気流発生機１３とを備える。
【００２４】
冷風発生機１０としては、水を用いた気化放熱式冷風発生機を用いることが好ましい。
気化放熱式冷風発生機１０は、送風口を設けた箱型のボディと、ボディの吸気口の内側に配設され、散水パイプによって散水された水の膜を形成する冷却エレメントと、冷却エレメントに配設されるフィルターと、循環使用する水の濾過を行うためのクリーニングポンプと、水を循環させるための循環ポンプと、ボディの吸気口の外側に配設される吸気ルーバーパネルと、ボディ内の底部における冷却エレメントの下部位置に設けた貯水槽と、貯水槽内の水の溢れ出しを防ぐフロートバルブと、冷却エレメントに散水するための散水パイプと、途中部にドレーン用バルブを設けた貯水槽内の水を排出するための排水パイプと、ボディに設けた水道水の給水口等をもって構成されるものが好適である。
冷風発生機１０が発生する冷風気流Ｃの風速分布は、例えば図７に示すようなものが好ましい。この具体例の冷風発生機１０が発生させる冷風気流は、２．０ｍ／ｓの風速流がノズルから約８ｍまで到達し、１．０ｍ／ｓの風速流がノズルから約１２ｍまで到達する。
【００２５】
誘引気流発生機１１は、 吹出口風量の数倍以上の周辺空気を誘引し、大きな空気流（誘引気流）を形成できるものである。特に、誘引気流発生機１１としては、吹出口風量の１０倍以上、特に好ましくは、１５倍以上の周辺空気を誘引し気流を形成するものであることが好ましい。誘引気流発生機１１としては、本体ケーシングと、ケーシングに収納される電動ファンと、ケーシングに設けられ電動ファンにて吸込まれた空気を吹き出す吹き出しノズルにより構成され、電動ファンにより吸込まれてノズルから噴出する空気量により大空間の空気を移動可能なものが好適である。
また、使用する誘引気流発生機１１が発生する誘引気流Ｄの風速分布は、例えば、図８に示すようなものであることが好ましい。この具体例の誘引気流発生機１１が発生させる誘引気流は、０．６ｍ／ｓの風速流が約３３ｍまで到達し、０．４ｍ／ｓの風速流が約４０ｍまで到達し、０．３ｍ／ｓの風速流が約５０ｍまで到達する。また、この誘引気流発生機１１は、冷風発生機１０の冷風気流Ｃの５．０ｍ／ｓの風速流が流れる位置に備え、流れる冷風を吸引して吹き出すとともに、周辺空気を誘引し、排気装置方向誘引気流発生機の方向に流れる誘引気流を形成し、流れる誘引気流は周辺空気を誘引することにより加温されるものの冷風発生器からの冷風を含有するため、室温より冷たく、冷風を含有する誘引気流は、作業施設の後方に効率的に送られる。
【００２６】
また、図１および図２に示す実施例の作業施設用空調システムでは、空気流が流通可能な実質的に直線状に延びかつ交差しない第１および第２の通路空間２、３と、第１および第２の通路空間を接続するように延びかつ空気流が流通可能な実質的に直線状に延びる接続通路空間４を有する作業施設用の空調システムとなっている。
そして、この空調システムは、冷風発生機１０と、作業施設の天井部６に配置される第１および第２の排気装置１２、１６と、冷風発生機１０により発生された冷風を吸引可能に第１の通路空間２の一端側に配置され、第１の通路空間の一端側から他端側に向かって流れる誘引気流を形成させる第１通路方向誘引気流発生機１１と、第１通路方向誘引気流発生機より所定距離第１の通路空間の他端側でありかつ所定風速の誘引気流が流れる位置に配置され、誘引気流を吸引し、かつ、第１の排気装置方向に向かって流れる第１の排気用誘引気流を形成させる第１の排気装置方向誘引気流発生機１３と、第１通路方向誘引気流発生機と第１の排気装置方向誘引気流発生機間に配置され、第１通路方向誘引気流発生機からの誘引気流を吸引し、接続通路空間を流れる誘引気流を形成させる接続通路方向誘引気流発生機１８と、接続通路方向誘引気流発生機１８の誘引気流を吸引可能に第２の通路空間３の一端側に配置され、第２の通路空間の一端側から他端側に向かって流れる誘引気流を形成させる第２通路方向誘引気流発生機１５と、第２通路方向誘引気流発生機より所定距離第２の通路空間の他端側でありかつ所定風速の誘引気流が流れる位置に配置され、誘引気流を吸引し、かつ、第２の排気装置方向に向かうとともに、第１の排気用誘引気流と交差しない第２の排気用誘引気流を形成させる第２の排気装置方向誘引気流発生機１７を備える。
【００２７】
接続通路方向誘引気流発生機１８は、図１、図２、図６に示すように通路方向誘引気流発生機１１からの所定風速の誘引気流が流れる位置、例えば、誘引気流発生機１１からの例えば０．６ｍ／ｓの風速流が流れる位置に、誘引気流発生機１１の誘引気流の流れる方向と交差する方向を向くように設けられている。接続通路方向誘引気流発生機１８は、誘引気流発生機１１により発生され、かつ、冷風発生機１０により発生された冷風を含有する誘引気流の一部を吸引して、接続通路方向に吹き出すとともに、接続通路方向を流れる誘引気流Ｆを形成させる。接続通路方向誘引気流発生機１８は、通路方向誘引気流発生機１１と同じものもしくはそれより出力が小さいものが使用できる。
空調システムは、排気装置方向誘引気流発生機の配置領域に到達した誘引気流の全量を排気装置方向誘引気流発生機１３、１７により、排気装置に向かう誘引気流に変換するものであり、かつ、排気装置は、排気装置１２、１６に向かう誘引気流の全量を排気可能なものであり、排気装置方向誘引気流発生機の配置領域に到達した誘引気流の滞留の発生が実質的に生じないものとなっている。
具体的には、第１の通路空間の他端側に位置し、通路方向誘引気流発生機１１（もしくは後述する中継誘引気流発生機２４）により発生し、かつ所定風速の誘引気流（具体的には、０．３ｍ／ｓ以上の風速流）が流れる位置に配置され、誘引気流を吸引し、かつ、第１の排気装置１２方向に向かって流れる排気用誘引気流を形成させる排気装置方向誘引気流発生機１３を備える。さらに、この実施例のシステムでは、第２の通路空間の他端側に位置し、通路方向誘引気流発生機１５（もしくは後述する中継誘引気流発生機２４）により発生し、かつ所定風速の誘引気流（具体的には、０．３ｍ／ｓ以上の風速流）が流れる位置に配置され、誘引気流を吸引し、かつ、第２の排気装置１６方向に向かって流れる排気用誘引気流を形成させる排気装置方向誘引気流発生機１７を備える。
第１および第２の排気装置方向誘引気流発生機１３，１７は、吹出口風量の数倍以上の周辺空気を誘引し、大きな空気流（誘引気流）を形成できるものである。特に、第１および第２の排気装置方向誘引気流発生機１３，１７としては、吹出口風量の１０倍以上、特に好ましくは、１５倍以上の周辺空気を誘引し気流を形成するものであることが好ましい。具体的には、第１および第２の排気装置方向誘引気流発生機１３，１７としては、上述した通路方向誘引気流発生機と同じものが好適に使用できる。
さらに、この実施例の空調システムでは、作業施設の天井部６の第１の排気装置１２と第２の排気装置１６間となる領域に配置された第３の排気装置２０と、第１の排気装置方向誘引気流発生機１３と第２の排気装置方向誘引気流発生機１７間となる領域に配置され、かつ第３の排気装置２０方向に向かう第３の排気装置方向誘引気流発生機１９を備えるものとなっている。
第３の排気装置２０としては、上述した排気装置が、また、第３の排気装置方向誘引気流発生機１９としては、上述した排気装置方向誘引気流発生機を用いることができる。
【００２８】
また、本考案の作業施設用空調システムとしては、図３に示すようなものであってもよい。
この実施例の作業施設用空調システムでは、作業施設１に空気流が流通可能な実質的に直線状に延びかつ交差しない第１および第２の通路空間２、３とを有する作業施設用の空調システムである。
この実施例の空調システムは、第１の冷風発生機１０と、第１の冷風発生機１０により発生された冷風を吸引可能に第１の通路空間２の一端側に配置され、第１の通路空間２の一端側から他端側に向かって流れる誘引気流を形成させる第１通路方向誘引気流発生機１１と、作業施設の天井部６に配置される第１の排気装置１２と、第１通路方向誘引気流発生機１１より所定距離第１の通路空間の他端側でありかつ所定風速の誘引気流が流れる位置に配置され、誘引気流を吸引し、かつ、第１の排気装置方向に向かって流れる第１の排気用誘引気流を形成させる第１の排気装置方向誘引気流発生機１３と、第２の冷風発生機１４と、第２の冷風発生機１４により発生された冷風を吸引可能に第２の通路空間３の一端側に配置され、第２の通路空間３の一端側から他端側に向かって流れる誘引気流を形成させる第２通路方向誘引気流発生機１５と、作業施設の天井部６に配置される第２の排気装置１６と、第２通路方向誘引気流発生機１５より所定距離第２の通路空間の他端側でありかつ所定風速の誘引気流が流れる位置に配置され、誘引気流を吸引し、かつ、第２の排気装置方向に向かうとともに、第１の排気用誘引気流と交差しない第２の排気用誘引気流を形成させる第２の排気装置方向誘引気流発生機１７を備える。
【００２９】
第２の冷風発生機１４としては、上述した冷風機１０と同じものまた出力等が異なるものを用いることが好ましい。第２の排気装置１６は、排気装置１２と同じであり、第２通路方向誘引気流発生機１５、第２の排気装置方向誘引気流発生機１７は、通路方向誘引気流発生機１１と同じである。
さらに、本考案の作業施設用空調システムとしては、図３に破線で示すように、空気流が流通可能な実質的に直線状に延びかつ交差しない第３の通路空間５と、天井部６に配置された第３の排気装置２０とを有するものであってもよい。
この実施例の空調システムは、第３の冷風発生機２１と、第３の冷風発生機２１により発生された冷風を吸引可能に第３の通路空間５の一端側に配置され、第３の通路空間５の一端側から他端側に向かって流れる誘引気流を形成させる第３通路方向誘引気流発生機２２と、第３通路方向誘引気流発生機２２より所定距離第３の通路空間５の他端側でありかつ所定風速の誘引気流が流れる位置に配置され、誘引気流を吸引し、かつ、第３の排気装置方向に向かうとともに、第１の排気用誘引気流および第２の排気用誘引気流と交差しない第３の排気用誘引気流を形成させる第３の排気装置方向誘引気流発生機１９を備えている。
【００３０】
また、上述したすべての実施例において、作業施設用空調システムは、通路方向誘引気流発生機１１、１８、２２と排気装置方向誘引気流発生機１３、１７、１９との間でありかつ通路方向誘引気流発生機からの所定風速の誘引気流が流れる位置に配置され、誘引気流を吸引し、排気装置方向に向かう誘引気流を発生させるための中継誘引気流発生機２４を備えるものであってもよい。
中継誘引気流発生機２４は、図１、図２、図３、図６に示すように通路方向誘引気流発生機１１からの所定風速の誘引気流が流れる位置、例えば、誘引気流発生機１１からの冷風を含有する誘引気流の例えば０．６ｍ／ｓの風速流が流れる位置に配置され、誘引気流を吸引し、排気装置方向誘引気流発生機の方向に向かって流れる誘引気流Ｅを形成する。吸引する気流には冷風発生器からの冷風が含まれているため、室温より冷たく、作業施設の後方に効率的に送られる。
中継誘引気流発生機としては、上述した誘引気流発生機と同じものまた出力等が異なるものが用いられる。
【００３１】
また、上述したすべての実施例において、作業施設用空調システムは、図１および図２に示すように、作業施設の１または複数の特定作業領域Ｂに付近に設けられた冷却風発生機２５と、冷却風発生機２５からの冷却風を吸引し、特定作業領域Ｂに向かって流れる冷却風気流を形成させる気流発生機２６を備えるものであってもよい。
特定作業領域Ｂには、集塵機、溶解炉等高温を発生する設備Ａが備えられている。気流発生機２６は冷却風発生機２５の吹き出し口に吸入側を位置させて、冷却風発生機２５の冷却風を気流発生機２６でジェット気流に変え、特定作業領域Ｂの作業者に直接当てて体感温度を低減させる。
冷却風発生機２５に備える気流発生機２６は、通路方向誘引気流発生機１１と同じものまた出力が異なるものが用いられる。
【００３２】
図１および図２に示す実施形態の空調システムの作用について説明する。
冷風機１０で外気が水膜に覆われた無数の細長い穴を有する冷却エレメントに接触して気化放熱し、フアンにより冷風が吹き出され、その冷風を通路方向誘引気流発生機１１で吸引してフアンにより吹き出し、吹き出し風量の約１５倍の周辺空気を誘引して大きな空気の流れを作り、図１、２及び図５に示すようにその風速分布の流速のある気流の中に配置された中継誘引気流発生機２４で同様に吸引して、フアンにより吹き出し、周辺空気を誘引して大きな空気の流れを排気装置方向誘引気流発生機の方向に送り、作業施設の後方位置で、排気装置方向誘引気流発生機により、後方に送られて後方に滞留する高温の空気を天井部６の排気装置１２の方向に送り、排気装置１２により外部に排出する。
また、図６に示すように第１の通路方向誘引気流発生機１１から吹き出された風速分布の流速のある気流の中に配置された接続通路方向誘引気流発生機１７により通路空間４を通じて第２の通路空間３に送られ、第２の通路方向誘引気流発生機１５、中継誘引気流発生機２４でフアンにより吹き出し、周辺空気を誘引して大きな空気の流れを第２の排気装置方向誘引気流発生機１７の方向に送り、作業施設の後方位置で、第２の排気装置方向誘引気流発生機１７により、後方に送られて後方に滞留する高温の空気を天井部６の排気装置１６の方向に送り、排気装置１６により外部に排出することにより、通路空間の温度を低減させて作業施設内の通路空間、或いはその周辺で作業をする作業者の作業環境を改善できる。
さらに、特定作業領域Ｂでは、別の冷却風発生機２５の冷却風を気流発生機２６でジェット気流に変え、特定作業領域Ｂの作業者に直接当てて体感温度を低減させる。したがって、作業者は冷風機と通路方向誘引気流発生機等による冷風の送風による冷風の流れと、冷却風発生機２５からの冷却風が気流発生機２６でスポット的に当てられるので、効果的に体感温度を低減でき、過酷な作業をする作業者の環境を改善することができる。
【００３３】
この考案は上記実施形態に限定されるものではなく、この考案の要旨を逸脱しない範囲で、種々の形態を実施しうるものである。実施形態では作業施設の通路空間が一側の場合、両側の場合、両側と中央にある場合、通路空間と交差方向の通路、例えば直交する方向の通路の場合を説明したが、これに限られるものではなく、作業施設内に例えば斜め方向の通路空間を設けた場合でも、同様にその通路空間に沿って冷風機、通路方向誘引気流発生機、中継誘引気流発生機、排気装置方向誘引気流発生機を設けることができる。
【図面の簡単な説明】
【００３４】
【図１】図１は、この考案の作業施設用空調システムの一実施形態を示す平面図である。
【図２】図２は、同作業施設用空調システムの側面図である。
【図３】図３は、この考案の作業施設用空調システムの別の実施形態を示す平面図である。
【図４】図４は、冷風発生機の吹き出し気流と、冷風発生機の近接位置に配置した通路方向誘引気流発生機の吹き出し気流とを表した図である。
【図５】図５は、通路方向誘引気流発生機の吹き出し気流と、通路方向誘引気流発生機の誘引気流の位置に配置した通路方向誘引気流発生機の吹き出し気流とを表した図である。
【図６】図６は、通路方向誘引気流発生機の吹き出し気流と、通路方向誘引気流発生機の誘引気流の位置に交叉する方向に配置した通路方向誘引気流発生機の吹き出し気流とを表した図である。
【図７】図７は、冷風発生機の吹き出し気流の分布図である。
【図８】図８は、通路方向誘引気流発生機の吹き出し気流の分布図である。
【符号の説明】
【００３５】
１  作業施設
２  通路空間
３  通路空間
４  通路空間
５  通路空間
６  天井部
７  排気口
１０  冷風発生機
１１  通路方向誘引気流発生機
１２  第２の排気装置
１３  排気装置方向誘引気流発生機
１４  第２の冷風発生機
１５  第２通路方向誘引気流発生機
１６  排気装置
１７  第２の排気装置方向誘引気流発生機
１８  接続通路方向誘引気流発生機
１９  第３の排気装置方向誘引気流発生機
２０  第３の排気装置
２１  第３の冷風機
２２  第３通路方向誘引気流発生機
２４  中継誘引気流発生機
２５  冷却風発生機
２６  気流発生機
【図１】
0003146582.tif 000003
【図２】
0003146582.tif 000004
【図３】
0003146582.tif 000005
【図４】
0003146582.tif 000006
【図５】
0003146582.tif 000007
【図６】
0003146582.tif 000008
【図７】
0003146582.tif 000009
【図８】
0003146582.tif 000010